(57)【要約】【課題】ウォブル信号と搬送波信号との位相がずれた状態でも、またトラック間クロストーク等の影響でウォブル信号が歪んだ状態でも、ウォブル信号に重畳された情報を良好に再生できる情報再生装置を提供する。【解決手段】周期信号生成回路１０７が、ウォブル信号Ｗと周期が等しく９０度の位相差がある第１の正弦波信号Ａと第２の正弦波信号Ｂを生成し、第１のサンプリング回路１０８が、第１の正弦波信号の０度の位相でウォブル信号のサンプリング値Ｃを取得し、第２のサンプリング回路１０９が、第２の正弦波信号の０度の位相でウォブル信号のサンプリング値Ｄを取得し、第１の演算回路１１０が、信号Ａ〜Ｄの演算により搬送波信号（Ａ×Ｄ−Ｂ×Ｃ）を生成し、第２の演算回路１１１が、ウォブル信号から搬送波信号を減算した信号Ｅに搬送波信号を乗算し信号Ｆを出力する。この信号Ｆから情報が再生される。【選択図】  図１
2005018898.tif 000002
【特許請求の範囲】
【請求項１】
光ディスク上のトラックに対する光検出信号から得られるウォブル信号に重畳された情報を再生する装置であって、
ウォブル信号から周期がウォブル信号の中心周波数の周期と等しい周期信号を生成する周期信号生成手段と、
ウォブル信号を所定のタイミングでサンプリングし、サンプリング値を取得するサンプリング手段と、
前記周期信号と前記サンプリング値とに演算を施すことにより、搬送波信号を生成する搬送波生成手段とを備えたことを特徴とする情報再生装置。
【請求項２】
前記周期信号生成手段は、前記周期信号として各々の間に所定の位相差がある複数の正弦波信号を生成し、
前記サンプリング手段は、前記複数の正弦波信号の所定の位相でウォブル信号をサンプリングして複数のサンプリング値を取得し、
前記搬送波生成手段は、前記複数の正弦波信号と前記複数のサンプリング値とに演算を施すことにより、搬送波信号を生成する請求項１記載の情報再生装置。
【請求項３】
前記周期信号生成手段は、前記複数の正弦波信号として前記所定の位相差が９０度である第１の正弦波信号Ａおよび第２の正弦波信号Ｂを生成し、
前記サンプリング手段は、前記第１の正弦波信号Ａの０度の位相でウォブル信号をサンプリングして第１のサンプリング値Ｃを取得するとともに、前記第２の正弦波信号Ｂの０度の位相でウォブル信号をサンプリングして第２のサンプリング値Ｄを取得し、
前記搬送波生成手段は、前記第１の正弦波信号Ａ、前記第２の正弦波信号Ｂと前記第１のサンプリング値Ｃ、前記第２のサンプリング値Ｄとに演算を施すことにより搬送波信号を生成する請求項２記載の情報再生装置。
【請求項４】
前記演算は、Ａ×Ｄ−Ｂ×Ｃで表される請求項３記載の情報再生装置。
【請求項５】
光ディスク上のトラックに対する光検出信号から得られるウォブル信号に重畳された情報を再生する装置であって、
周期、位相および振幅がそれぞれウォブル信号の中心周波数の周期、位相および振幅と等しい搬送波信号を生成する搬送波生成手段と、
ウォブル信号から前記搬送波信号を減算して得られた信号に前記搬送波信号を乗算することにより情報を再生する再生手段とを備えたことを特徴とする情報再生装置。
【請求項６】
光ディスク上のトラックに対する光検出信号から得られるウォブル信号に重畳された情報を再生する装置であって、
ウォブル信号から周期がウォブル信号の中心周波数の周期と等しく各々の間に９０度の位相差がある第１の正弦波信号Ａおよび第２の正弦波信号Ｂを生成する正弦波生成手段と、
前記第１の正弦波信号Ａの０度の位相でウォブル信号をサンプリングして第１のサンプリング値Ｃを取得するとともに、前記第２の正弦波信号Ｂの０度の位相でウォブル信号をサンプリングして第２のサンプリング値Ｄを取得するサンプリング手段と、
前記第１の正弦波信号Ａ、前記第２の正弦波信号Ｂと前記第１のサンプリング値Ｃ、前記第２のサンプリング値Ｄとに、Ａ×Ｄ−Ｂ×Ｃで表される演算を施すことにより搬送波信号を生成する搬送波生成手段と、
ウォブル信号から前記搬送波信号を減算して得られた信号に前記搬送波信号を乗算することにより情報を再生する再生手段とを備えたことを特徴とする情報再生装置。
【請求項７】
光ディスク上のトラックに対する光検出信号から得られるウォブル信号に重畳された情報を再生する方法であって、
（ａ）ウォブル信号から周期がウォブル信号の中心周波数の周期と等しい周期信号を生成するステップと、
（ｂ）ウォブル信号を所定のタイミングでサンプリングしてサンプリング値を取得するステップと、
（ｃ）前記周期信号と前記サンプリング値とに演算を施すことにより搬送波信号を得るステップとを含むことを特徴とする情報再生方法。
【請求項８】
前記ステップ（ａ）において生成される前記周期信号は、各々の間に所定の位相差がある複数の正弦波信号であり、
前記ステップ（ｂ）において、前記複数の正弦波信号の所定の位相でウォブル信号をサンプリングして複数のサンプリング値を取得し、
前記ステップ（ｃ）において、前記複数の正弦波信号と前記複数のサンプリング値とに演算を施すことにより前記搬送波信号を生成する請求項７記載の情報再生方法。
【請求項９】
前記複数の正弦波信号は、前記所定の位相差が９０度である第１の正弦波信号Ａおよび第２の正弦波信号Ｂであり、
前記複数のサンプリング値は、前記第１の正弦波信号Ａの０度の位相でウォブル信号をサンプリングして取得される第１のサンプリング値Ｃと、前記第２の正弦波信号Ｂの０度の位相でウォブル信号をサンプリングして取得される第２のサンプリング値Ｄであり、
前記搬送波信号は、前記第１の正弦波信号Ａ、前記第２の正弦波信号Ｂと前記第１のサンプリング値Ｃ、前記第２のサンプリング値Ｄとに演算を施すことにより生成される請求項８記載の情報再生方法。
【請求項１０】
前記演算は、Ａ×Ｄ−Ｂ×Ｃで表される請求項９記載の情報再生方法。
【請求項１１】
光ディスクのトラックに対する光検出信号から得られるウォブル信号に重畳された情報を再生する方法であって、
周期、位相および振幅がそれぞれウォブル信号の中心周波数の周期、位相および振幅と等しい搬送波信号を生成するステップと、
ウォブル信号から前記搬送波信号を減算して得られた信号に前記搬送波信号を乗算することにより情報を再生するステップとを含むことを特徴とする情報再生方法。
【請求項１２】
光ディスクのトラックに対する光検出信号から得られるウォブル信号に重畳された情報を再生する方法であって、
ウォブル信号から周期がウォブル信号の中心周波数の周期と等しく各々の間に９０度の位相差がある第１の正弦波信号Ａおよび第２の正弦波信号Ｂを生成するステップと、
前記第１の正弦波信号Ａの０度の位相でウォブル信号をサンプリングして第１のサンプリング値Ｃを取得するとともに、前記第２の正弦波信号Ｂの０度の位相でウォブル信号をサンプリングして第２のサンプリング値Ｄを取得するステップと、
前記第１の正弦波信号Ａ、前記第２の正弦波信号Ｂと前記第１のサンプリング値Ｃ、前記第２のサンプリング値Ｄとに、Ａ×Ｄ−Ｂ×Ｃで表される演算を施すことにより搬送波信号を生成するステップと、
ウォブル信号から前記搬送波信号を減算して得られた信号に前記搬送波信号を乗算することにより情報を再生するステップとを含むことを特徴とする情報再生方法。
【発明の詳細な説明】
【０００１】
【発明の属する技術分野】
本発明は、光ディスク等からウォブル信号に重畳された情報を再生する装置および方法に関する。
【０００２】
【従来の技術】
近年、光ビームを用いてデータを記録再生する光ディスク装置が種々開発されている。特に追記録可能な光ディスクとしてＣＤ−Ｒ／ＲＷ、ＤＶＤ−ＲＡＭ、ＤＶＤ−Ｒ／ＲＷや＋ＲＷ／＋Ｒなどが開発されている。このような追記可能な光ディスクに番地情報を埋め込む方式の１つとして、ウォブルに情報を重畳する方式がある。ここで、ウォブルとは、回転する光ディスクの線速度に同期したクロックを得るためにトラックに設けた所定の周期でうねりのことである。ウォブルは、トラックに光ビームを照射したときに得られるプッシュプル信号により検出できる。以下、このプッシュプル信号をウォブル信号と呼ぶ。
【０００３】
例えばＤＶＤ＋ＲＷ／＋Ｒでは、ＰＳＫ（Ｐｈａｓｅ  Ｓｈｉｆｔ  Ｋｅｙｉｎｇ）と呼ばれる変調で、ウォブル信号に情報を埋め込んでいる。ここで、ＰＳＫとは、図４Ａおよび図４Ｂに示すように、二値化信号“０”、“１”に対してウォブル信号の搬送波の位相を変化させる変調方式である。＋ＲＷ／＋Ｒにおいては、０度と１８０度の２相位相変調が用いられている。ＰＳＫの復調方式として一般的な方式の１つに同期検波方式がある。同期検波とは、変調された信号から搬送波成分を抽出し、変調された信号と搬送波との乗算等の演算処理により情報を復調する方式である。この場合、変調された信号と搬送波との位相差に基づいて復調することになり、搬送波に位相ずれがあると正しく情報が得られない場合があった。
【０００４】
このような問題を解決するために、例えば、位相ずれを補正し精度よく復調するような方式が提案されている（例えば、特許文献１参照）。この方式では、搬送波信号に対して９０度の位相差を有する信号とウォブル信号との乗算結果に基づき位相差を検出することを行っている。
【０００５】
【特許文献１】
特開２００１−１２６４１３号公報
【０００６】
【特許文献２】
特開平１０−０６９６４６号公報
【０００７】
【特許文献３】
特開平０６−０１９８９８号公報
【０００８】
【特許文献４】
特開平０５−２６０４１３号公報
【０００９】
【発明が解決しようとする課題】
しかしながら、上記従来の情報再生装置においては、次に挙げる問題があった。
【００１０】
まず、ウォブル信号は、隣接するトラックのウォブルの位相の影響を受け、歪んだ状態になる場合がある。具体的には、ウォブル信号は、理想的には図５Ａに示すような信号として得られるが、図５Ｂおよび図５Ｃに示すように、隣接するトラックの位相に起因して、周期的に、反転部の振幅Ａ１が小さい信号や反転部の振幅Ａ２が大きい信号として得られる場合がある。図５Ａおよび図５Ｃに示すようなウォブル信号に搬送波信号を乗算した場合、乗算後の信号の反転部は強調されて出力されるが、図５Ｂに示すようなウォブル信号に搬送波信号を乗算しても、乗算後の信号の反転部が強調されず、反転部と他の部分との分離が困難であった。
【００１１】
また、情報の再生時には、ウォブル信号と周波数および位相の等しい搬送波信号が必要となり、ウォブル信号に対して搬送波信号の位相がずれた場合、正しく情報が再生できない場合がある。具体的には、乗算後の信号は、搬送波信号の位相のずれがない場合は、図６Ａに示すように反転部と他の部分との分離ができるが、９０度および１８０度の位相ずれが発生した場合には、それぞれ図６Ｂおよび図６Ｃに示すように、反転部と他の部分との分離ができなくなる。したがって、ウォブル信号に対して搬送波信号の位相ずれが発生すると反転部が強調されず、反転部と他の部分の分離が困難であった。また、搬送波信号の位相の調整には移相器等が必要となり、回路規模が比較的大きくなる。
【００１２】
本発明は、上記の問題点に鑑みてなされたものであり、その目的は、ウォブル信号と搬送波信号との位相がずれた状態でも、またトラック間クロストーク等の影響でウォブル信号が歪んだ状態でも、ウォブル信号に重畳された情報を良好に再生できる情報再生装置および方法を提供することにある。
【００１３】
【課題を解決するための手段】
前記の目的を達成するため、本発明に係る情報再生装置の第１の態様は、光ディスク上のトラックに対する光検出信号から得られるウォブル信号に重畳された情報を再生する装置であって、ウォブル信号から周期がウォブル信号の中心周波数の周期と等しい周期信号を生成する周期信号生成手段（周期信号生成回路）と、ウォブル信号を所定のタイミングでサンプリングし、サンプリング値を取得するサンプリング手段（第１および第２のサンプリング回路）と、周期信号とサンプリング値とに演算を施すことにより、搬送波信号を生成する搬送波生成手段（第１の演算回路）とを含むものである。
【００１４】
本発明に係る情報再生装置の第２の態様は、本発明に係る情報再生装置の第１の態様において、周期信号生成手段は、周期信号として各々の間に所定の位相差がある複数の正弦波信号を生成し、サンプリング手段は、複数の正弦波信号の所定の位相でウォブル信号をサンプリングして複数のサンプリング値を取得し、搬送波生成手段は、複数の正弦波信号と複数のサンプリング値とに演算を施すことにより、搬送波信号を生成するものである。
【００１５】
本発明に係る情報再生装置の第３の態様は、本発明に係る情報再生装置の第２の態様において、周期信号生成手段は、複数の正弦波信号として所定の位相差が９０度である第１の正弦波信号Ａおよび第２の正弦波信号Ｂを生成し、サンプリング手段は、第１の正弦波信号Ａの０度の位相でウォブル信号をサンプリングして第１のサンプリング値Ｃを取得するとともに、第２の正弦波信号Ｂの０度の位相でウォブル信号をサンプリングして第２のサンプリング値Ｄを取得し、搬送波生成手段は、第１の正弦波信号Ａ、第２の正弦波信号Ｂと第１のサンプリング値Ｃ、第２のサンプリング値Ｄとに演算を施すことにより搬送波信号を生成するものである。
【００１６】
本発明に係る情報再生装置の第４の態様は、本発明に係る情報再生装置の第３の態様において、演算が、Ａ×Ｄ−Ｂ×Ｃで表されるものである。
【００１７】
前記の目的を達成するため、本発明に係る情報再生装置の第５の態様は、光ディスク上のトラックに対する光検出信号から得られるウォブル信号に重畳された情報を再生する装置であって、周期、位相および振幅がそれぞれウォブル信号の中心周波数の周期、位相および振幅と等しい搬送波信号を生成する搬送波生成手段（第１の演算回路）と、ウォブル信号から搬送波信号を減算して得られた信号に搬送波信号を乗算することにより情報を再生する再生手段（第２の演算回路、ローパスフィルタ、二値化回路）とを含むものである。
【００１８】
前記の目的を達成するため、本発明に係る情報再生装置の第６の態様は、光ディスク上のトラックに対する光検出信号から得られるウォブル信号に重畳された情報を再生する装置であって、ウォブル信号から周期がウォブル信号の中心周波数の周期と等しく各々の間に９０度の位相差がある第１の正弦波信号Ａおよび第２の正弦波信号Ｂを生成する正弦波生成手段（周期信号生成回路）と、第１の正弦波信号Ａの０度の位相でウォブル信号をサンプリングして第１のサンプリング値Ｃを取得するとともに、第２の正弦波信号Ｂの０度の位相でウォブル信号をサンプリングして第２のサンプリング値Ｄを取得するサンプリング手段（第１のサンプリング回路、第２のサンプリング回路）と、第１の正弦波信号Ａ、第２の正弦波信号Ｂと第１のサンプリング値Ｃ、第２のサンプリング値Ｄとに、Ａ×Ｄ−Ｂ×Ｃで表される演算を施すことにより搬送波信号を生成する搬送波生成手段（第１の演算回路）と、ウォブル信号から搬送波信号を減算して得られた信号に搬送波信号を乗算することにより情報を再生する再生手段（第２の演算回路、ローパスフィルタ、二値化回路）とを含むものである。
【００１９】
前記の目的を達成するため、本発明に係る情報再生方法の第１の態様は、光ディスク上のトラックに対する光検出信号から得られるウォブル信号に重畳された情報を再生する方法であって、（ａ）ウォブル信号から周期がウォブル信号の中心周波数の周期と等しい周期信号を生成するステップと、（ｂ）ウォブル信号を所定のタイミングでサンプリングしてサンプリング値を取得するステップと、（ｃ）周期信号とサンプリング値とに演算を施すことにより搬送波信号を得るステップとを含むものである。
【００２０】
本発明に係る情報再生方法の第２の態様は、本発明に係る情報再生方法の第１の態様において、ステップ（ａ）において生成される周期信号は、各々の間に所定の位相差がある複数の正弦波信号であり、ステップ（ｂ）において、複数の正弦波信号の所定の位相でウォブル信号をサンプリングして複数のサンプリング値を取得し、ステップ（ｃ）において、複数の正弦波信号と複数のサンプリング値とに演算を施すことにより搬送波信号を生成するものである。
【００２１】
本発明に係る情報再生方法の第３の態様は、本発明に係る情報再生方法の第２の態様において、複数の正弦波信号は、所定の位相差が９０度である第１の正弦波信号Ａおよび第２の正弦波信号Ｂであり、複数のサンプリング値は、第１の正弦波信号Ａの０度の位相でウォブル信号をサンプリングして取得される第１のサンプリング値Ｃと、第２の正弦波信号Ｂの０度の位相でウォブル信号をサンプリングして取得される第２のサンプリング値Ｄであり、搬送波信号は、第１の正弦波信号Ａ、第２の正弦波信号Ｂと第１のサンプリング値Ｃ、第２のサンプリング値Ｄとに演算を施すことにより生成されるものである。
【００２２】
本発明に係る情報再生方法の第４の態様は、本発明に係る情報再生方法の第３の態様において、演算が、Ａ×Ｄ−Ｂ×Ｃで表されるものである。
【００２３】
前記の目的を達成するため、本発明に係る情報再生方法の第５の態様は、光ディスクのトラックに対する光検出信号から得られるウォブル信号に重畳された情報を再生する方法であって、周期、位相および振幅がウォブル信号の中心周波数の周期、位相および振幅と等しい搬送波信号を生成するステップと、ウォブル信号から搬送波信号を減算して得られた信号に搬送波信号を乗算することにより情報を再生するステップとを含むものである。
【００２４】
前記の目的を達成するため、本発明に係る情報再生方法の第６の態様は、光ディスクのトラックに対する光検出信号から得られるウォブル信号に重畳された情報を再生する方法であって、ウォブル信号から周期がウォブル信号の中心周波数の周期と等しく各々の間に９０度の位相差がある第１の正弦波信号Ａおよび第２の正弦波信号Ｂを生成するステップと、第１の正弦波信号Ａの０度の位相でウォブル信号をサンプリングして第１のサンプリング値Ｃを取得するとともに、第２の正弦波信号Ｂの０度の位相でウォブル信号をサンプリングして第２のサンプリング値Ｄを取得するステップと、第１の正弦波信号Ａ、第２の正弦波信号Ｂと第１のサンプリング値Ｃ、第２のサンプリング値Ｄとに、Ａ×Ｄ−Ｂ×Ｃで表される演算を施すことにより搬送波信号を生成するステップと、ウォブル信号から搬送波信号を減算して得られた信号に搬送波信号を乗算することにより情報を再生するステップとを含むものである。
【００２５】
【発明の実施の形態】
以下、本発明の好適な実施の形態について、図面を参照しながら説明する。
【００２６】
図１は、本発明の一実施の形態に係る情報再生装置が組み込まれた光ディスク装置の一構成例を示すブロック図である。なお、本実施の形態における光ディスク１００の一例として、次に示すようなＰＳＫ変調が施された光ディスクを想定する。光ディスク１００は、螺旋上に形成された記録溝（以下、グルーブトラックと称する）を有し、グルーブトラックは、所定の周期のうねりであるウォブルを有している。ウォブルには、一定間隔置きに情報が埋め込まれており、図４に示すように、情報の“０”はウォブルの非反転で表され、情報の“１”はウォブルの反転で表される。
【００２７】
まず、図１を参照して、本実施の形態による情報再生装置が組み込まれた光ディスク装置の構成について説明する。
【００２８】
光ディスク装置１は、光ディスク１００と、スピンドルモータ１０１と、モータドライバ１０２と、ピックアップ１０３と、光ビーム駆動回路１０４と、再生増幅回路１０５と、バンドパスフィルタ（ＢＰＦ）１０６と、周期信号生成手段としての周期信号生成回路１０７と、サンプリング手段としての第１のサンプリング回路１０８と、サンプリング手段としての第２のサンプリング回路１０９と、搬送波生成手段としての第１の演算回路１１０と、再生手段としての第２の演算回路１１１と、ローパスフィルタ（ＬＰＦ）１１２と、二値化回路１１３とから構成される。
【００２９】
モータドライバ１０２は、光ディスク１００が所定の回転周波数で回転するようにスピンドルモータ１０１を駆動する。ピックアップ１０３は、所定のパワーを有する光ビームを光ディスク１００に照射する。ピックアップ１０３から出力される光ビームは、光ビーム駆動回路１０４から出力される駆動信号によって駆動される。
【００３０】
光ディスク１００に照射された光ビームは、光ディスク１００によって反射されてピックアップ１０３に入射する。光ディスク１００からの反射光は、光ビームが照射された記録膜の光学的特性や物理的特性に応じた性質を有している。ピックアップ１０３は、光ディスク１００上の少なくともトラックに対して略平行に分割された受光素子を含む受光回路（図示せず）を備え、入射する反射光の光量をそれぞれ光検出信号に変換する。
【００３１】
再生増幅回路１０５は、それぞれの光検出信号の差を示す差信号を求め、その差信号を増幅することにより、プッシュプル信号（以下。ウォブル信号と称する）を生成する。バンドパスフィルタ１０６は、ウォブル信号の中心周波数が通過する程度の周波数特性を有し、ウォブル信号に含まれるノイズ成分を除去する。
【００３２】
周期信号生成回路１０７は、ウォブル信号Ｗから中心周波数を検出し、周波数がウォブル信号Ｗの中心周波数と等しく、ウォブル信号Ｗに対して任意の位相αを有するｓｉｎ（ωｔ＋α）で表される第１の正弦波信号Ａと、第１の正弦波信号Ａと９０度の位相差を有するｓｉｎ（ωｔ＋α＋π／２）で表される第２の正弦波信号Ｂを生成する。また、周期信号生成回路１０７は、第１のサンプリング回路１０８と第２のサンプリング回路１０９で使用されるサンプリングタイミング信号として、それぞれＡ＝ｓｉｎ（ωｔ＋α）の０度位相とＢ＝ｓｉｎ（ωｔ＋α＋π／２）の０度位相でタイミング信号を出力する。
【００３３】
第１のサンプリング回路１０８は、周期信号生成回路１０７により生成された第１の正弦波信号Ａの０度位相のタイミング信号でウォブル信号Ｗのレベルをサンプリングし、第１のサンプリング値Ｃを取得して出力する。第１のサンプリング値Ｃは、ウォブル信号Ｗに含まれるノイズ成分の影響を除去するために、ローパスフィルタ等を通過させた値や平均値を演算した値として出力される方が望ましい。また、第１のサンプリング回路１０８には、反転部でサンプリングを行わないように、マスクゲートを設ける方が望ましい。
【００３４】
第２のサンプリング回路１０９は、周期信号生成回路により生成された第２の正弦波信号Ｂの０度位相のタイミング信号でウォブル信号Ｗのレベルをサンプリングし、第２のサンプリング値Ｄを取得する。この場合も同様に、第２のサンプリング値Ｄは、ウォブル信号Ｗに含まれるノイズ成分の影響を除去するために、ローパスフィルタ等を通過させた値や平均値を演算した値として出力される方が望ましい。また、第２のサンプリング回路１０９には、反転部でサンプリングを行わないように、マスクゲートを設ける方が望ましい。
【００３５】
第１の演算回路１１０は、第１の正弦波信号Ａと第２のサンプリング値Ｄの乗算結果（Ａ×Ｄ）から、第２の正弦波信号Ｂと第１のサンプリング値Ｃの乗算結果（Ｂ×Ｃ）を減算し、搬送波信号（Ａ×Ｄ−Ｂ×Ｃ）を生成する。
【００３６】
第２の演算回路１１１は、ウォブル信号Ｗから第１の演算回路により生成された搬送波信号（Ａ×Ｄ−Ｂ×Ｃ）を減算した信号Ｅに、搬送波信号（Ａ×Ｄ−Ｂ×Ｃ）を乗算して、信号Ｆを生成する。
【００３７】
ローパスフィルタ１１２は、第２の演算回路１１１からの信号Ｆを平滑化し、ノイズ成分を除去する。２値化回路１１３は、ローパスフィルタ１１２の出力信号を２値化し、情報として出力する。
【００３８】
次に、本実施の形態による情報再生装置の動作原理について説明する。
【００３９】
ここで、ＰＳＫで変調したウォブル信号Ｗは、以下の式（１）で表現できる。
【００４０】
Ｗ＝Ｇｓｉｎωｔ                                        …（１）
ここで、係数Ｇは、非反転部ではＪ、反転部では−Ｋで表され、また、隣接するトラックのクロストークの影響による波形歪みは、ＪおよびＫの大小関係により表現できる。
【００４１】
ウォブル信号Ｗに対して任意の位相αでレベルをサンプリングして得られたサンプリング値は、反転部をマスクしてサンプリングした場合、Ｊｓｉｎαに等しい。また、同様にウォブル信号Ｗに対して任意の位相（α＋π／２）でレベルをサンプリングして得られたサンプリング値は、Ｊｓｉｎ（α＋π／２）に等しい。すなわち、第１の正弦波信号Ａの０度位相でウォブル信号Ｗのレベルをサンプリングして得られた第１のサンプリング値Ｃは、Ｊｓｉｎαとなり、第２の正弦波信号Ｂの０度位相でウォブル信号Ｗのレベルをサンプリングして得られた第２のサンプリング値Ｄは、Ｊｓｉｎ（α＋π／２）となる。
【００４２】
第１の演算回路１１０における、任意の位相αを有するｓｉｎ（ωｔ＋α）で表される第１の正弦波信号Ａ、第１の正弦波信号Ａに対して９０度の位相差を有するｓｉｎ（ωｔ＋α＋π／２）で表される第２の正弦波信号Ｂと、第１のサンプリング値Ｃ、第２のサンプリング値Ｄとの演算結果は、以下の式（２）で表される。
【００４３】
Ａ×Ｄ−Ｂ×Ｃ＝ｓｉｎ（ωｔ＋α）・Ｊｓｉｎ（α＋π／２）−ｓｉｎ（ωｔ＋α＋π／２）・Ｊｓｉｎα    …（２）
ここで、
2005018898.tif 000003
であるから、上記式（２）は以下の式（３）となる。
【００４４】
Ａ×Ｄ−Ｂ×Ｃ＝Ｊｓｉｎωｔ                                …（３）
さらに、ウォブル信号Ｗから上記式（３）で表される演算結果を減算して得られた信号Ｅは、以下の式（４）で表される。
【００４５】
2005018898.tif 000004
ここで、係数Ｌは、非反転部では０、反転部では−（Ｊ＋Ｋ）である。
【００４６】
さらに、上記式（４）で表される信号Ｅに、式（３）のＪｓｉｎωｔを乗算すして得られた信号Ｆは、以下の式（５）で表される。
【００４７】
Ｆ＝Ｌｓｉｎωｔ×Ｊｓｉｎωｔ＝Ｍ（ｓｉｎωｔ）２          …（５）
ここで、係数Ｍは、非反転部では０、反転部では−（Ｊ２＋ＪＫ）である。
【００４８】
すなわち、この演算結果から次のようなことが言える。
【００４９】
従来のように周波数と位相のほぼ等しい正弦波信号をウォブル信号Ｗに単純に乗算した場合、得られる信号Ｆ’は、以下の式（６）で表される。
【００５０】
Ｆ’＝Ｇｓｉｎωｔ×ｓｉｎωｔ＝Ｇ（ｓｉｎωｔ）２          …（６）
ここで、Ｇは非反転部ではＪ、反転部では−Ｋである。
すなわち、Ｊ＞Ｋの場合に、乗算結果の信号Ｆ’において、非反転部の振幅の方が大きくなり、非反転部と反転部の分離がしづらくなりる。
【００５１】
これに対して、本実施の形態の場合、乗算結果の信号Ｆは、上記式（５）で表されるように、係数Ｍが、非反転部では０と小さくなり、反転部では−（Ｊ２＋ＪＫ）となり、ＪとＫの大小関係によらず強調されることになる。すなわち、隣接するトラックのクロストーク等の影響で歪んだウォブル信号Ｗが入力されても、非反転部と反転部の分離が容易になり、ウォブル信号Ｗの非反転部と反転部を正しく二値化して、情報を再生することが可能となる。
【００５２】
また、用いる正弦波信号は、その周期（周波数）がウォブル信号の周期（周波数）と等しければ、任意の位相αを持っていてもよい。すなわち、任意の位相αの正弦波信号を用いても同一の結果が得られ、正弦波信号の位相を調整するための移相器を設ける必要がなく、ウォブル信号Ｗに対して位相ずれが発生しても、ウォブル信号Ｗの非反転部と反転部を正しく二値化して、情報を再生することが可能となる。
【００５３】
次に、具体例を挙げて、本実施の形態による情報再生装置の動作について、図２Ａ、図２Ｂ、図２Ｃ、図３Ａ、図３Ｂおよび図３Ｃを参照して説明する。
【００５４】
図２Ａ、図２Ｂおよび図２Ｃは、それぞれ、ウォブル信号Ｗとして通常の信号が入力された場合、ウォブル信号Ｗとして反転部の振幅が小さい信号が入力された場合、およびウォブル信号Ｗとして反転部の振幅が大きい信号が入力された場合における図１の各部の信号を示す波形図である。
【００５５】
第２の演算回路１１１において、ウォブル信号Ｗから第１の演算回路１１０の出力信号（Ａ×Ｄ−Ｂ×Ｃ）を減算して得られた信号Ｅは、ウォブル信号Ｗの非反転部の振幅によらず非反転部の振幅が小さくなり、ウォブル信号Ｗの反転部の振幅によらず反転部の振幅が強調されたものになる。また、減算後の信号Ｅは、図２Ａ、図２Ｂおよび図２Ｃに示すように、ウォブル信号Ｗの反転部の振幅によらずほぼ等しくなる。
【００５６】
この減算後の信号Ｅに、さらに第１の演算回路の出力信号（Ａ×Ｄ−Ｂ×Ｃ）を乗算することにより、図２Ａ、図２Ｂおよび図２Ｃに示すように、ウォブル信号Ｗの反転部をさらに強調することができる。
【００５７】
すなわち、ウォブル信号Ｗの非反転部と反転部の分離が容易になり、隣接するトラックのクロストーク等の影響で歪んだウォブル信号Ｗのが入力されても、ウォブル信号Ｗの非反転部と反転部を正しく二値化して情報を再生することが可能となる。
【００５８】
図３Ａ、図３Ｂおよび図３Ｃは、それぞれ、ウォブル信号Ｗと第１の正弦波信号Ａとのずれがない場合、ウォブル信号Ｗと第１の正弦波信号Ａとのずれが９０度である場合、およびウォブル信号Ｗと第１の正弦波信号Ａとのずれが１８０度である場合における図１の各部信号の波形図である。
【００５９】
図３Ａ、図３Ｂおよび図３Ｃに示すように、第１の演算回路１１０において、上記式（２）で表される演算を行うことにより、出力信号（Ａ×Ｄ−Ｂ×Ｃ）として、第１の正弦波信号Ａの位相ずれとは無関係に、ウォブル信号Ｗの位相と同期した搬送波信号が得られていることが分かる。この搬送波信号を使用して第２の演算回路１１１において、減算および乗算を行うことにより、図３Ａ、図３Ｂおよび図３Ｃのすべての場合において同一の結果が得られることが分かる。
【００６０】
すなわち、任意の位相の正弦波信号を用いても同一の結果が得られ、正弦波信号の位相を調整する移相器等を設ける必要がなく、位相ずれが発生しても、ウォブル信号Ｗの非反転部と反転部を正しく二値化して情報を再生することが可能となる。
【００６１】
なお、上記実施の形態の説明では、説明を簡単にするために、前記のような光ディスクおよび変調方式を想定したが、本発明はそれに限定されるものではない。また、本発明を、光ディスク装置およびウォブル信号によらず適用できることは言うまでもない。
【００６２】
さらに、本発明は、アナログ信号処理およびディジタル信号処理のいずれでも実現でき、同一の効果が得られる。
【００６３】
【発明の効果】
以上説明したように、本発明によれば、ウォブル信号と搬送波信号の位相がずれた状態でも、またトラック間クロストークの影響等でウォブル信号が歪んだ状態でも、ウォブル信号に重畳された情報を良好に再生できる情報再生装置および方法を提供することが可能になる。
【図面の簡単な説明】
【図１】本発明の一実施の形態に係る情報再生装置が組み込まれた光ディスク装置の一構成例を示すブロック図
【図２Ａ】本発明の一実施の形態においてウォブル信号Ｗとして通常の信号が入力された場合における図１の各部の信号を示す波形図
【図２Ｂ】本発明の一実施の形態においてウォブル信号Ｗとして反転部の振幅が小さい信号が入力された場合における図１の各部の信号を示す波形図
【図２Ｃ】本発明の一実施の形態においてウォブル信号Ｗとして反転部の振幅が大きい信号が入力された場合における図１の各部の信号を示す波形図
【図３Ａ】本発明の一実施の形態においてウォブル信号Ｗと第１の正弦波信号Ａとのずれがない場合における図１の各部信号の波形図
【図３Ｂ】本発明の一実施の形態においてウォブル信号Ｗと第１の正弦波信号Ａとのずれが９０度である場合における図１の各部信号の波形図
【図３Ｃ】本発明の一実施の形態においてウォブル信号Ｗと第１の正弦波信号Ａとのずれが１８０度である場合における図１の各部信号の波形図
【図４Ａ】二値化信号が“０”である場合における反転部のないウォブル信号の波形図
【図４Ｂ】二値化信号が“１”である場合における反転部のないウォブル信号の波形図
【図５Ａ】従来例においてウォブル信号として通常の信号が入力された場合における各部信号の波形図
【図５Ｂ】従来例においてウォブル信号として反転部の振幅が小さい信号が入力された場合における各部信号の波形図
【図５Ｃ】従来例においてウォブル信号として反転部の振幅が大きい信号が入力された場合における各部信号の波形図
【図６Ａ】従来例においてウォブル信号と搬送波信号とのずれがない場合における各部信号の波形図
【図６Ｂ】従来例においてウォブル信号と搬送波信号とのずれが９０度である場合における各部信号の波形図
【図６Ｃ】従来例においてウォブル信号と搬送波信号とのずれが１８０度である場合における各部信号の波形図
【符号の説明】
１  光ディスク装置
１００  光ディスク
１０１  スピンドルモータ
１０２  モータドライバ
１０３  ピックアップ
１０４  光ビーム駆動回路
１０５  再生増幅回路
１０６  バンドパスフィルタ（ＢＰＦ）
１０７  周期信号生成回路
１０８  第１のサンプリング回路
１０９  第２のサンプリング回路
１１０  第１の演算回路
１１１  第２の演算回路
１１２  ローパスフィルタ
１１３  二値化回路
【図１】
2005018898.tif 000005
【図２Ａ】
2005018898.tif 000006
【図２Ｂ】
2005018898.tif 000007
【図２Ｃ】
2005018898.tif 000008
【図３Ａ】
2005018898.tif 000009
【図３Ｂ】
2005018898.tif 000010
【図３Ｃ】
2005018898.tif 000011
【図４Ａ】
2005018898.tif 000012
【図４Ｂ】
2005018898.tif 000013
【図５Ａ】
2005018898.tif 000014
【図５Ｂ】
2005018898.tif 000015
【図５Ｃ】
2005018898.tif 000016
【図６Ａ】
2005018898.tif 000017
【図６Ｂ】
2005018898.tif 000018
【図６Ｃ】
2005018898.tif 000019